(57)【要約】【課題】施工時に天板の通過に必要な空間を狭くすることができ容易に取り付けることができる照明器具を提供する。【解決手段】照明器具１０は、光源（図示省略）を有する灯具２０が取り付けられた枠体３０を被取付部１１の取付孔１２に取り付けることにより、取付孔１２に取り付けられる。照明器具１０は、灯具２０を覆うとともに、灯具２０から張り出す天板２２を有しており、天板２２における張出部２２２には、光源に電力を供給する電源装置６０が取り付けられる。そして、天板２２を、灯具２０の中心（ＣＬ）よりも電源装置６０と反対側（Ｌ１）において、灯具２０との間に上下移動可能な隙間Ｄを設けて枠体３０に取り付けた。これにより、天板２２の長さを短くすることができるとともに、天板２２が回動可能となるので、施工時に天板２２の通過に必要な空間を狭くすることができ、容易に取り付けることができる。【選択図】図４
2014135138.tif 000002
【特許請求の範囲】
【請求項１】
被取付部に取り付けられる枠体と、
前記枠体に取り付けられ光源を有する灯具と、
前記枠体に取り付けられて前記灯具を覆うとともに前記灯具から張り出す天板と、
前記天板における張出部に取り付けられ前記光源に電力を供給する電源装置と、を備え、
前記天板の前記電源装置と反対側端部に支持アームを設け、
前記支持アームを、前記灯具の中心よりも前記電源装置と反対側において、前記枠体との間に上下移動可能な隙間を設けて前記枠体に取り付けた照明器具。
【請求項２】
請求項１に記載の照明器具において、
前記天板に設けられて前記電源装置よりも前記被取付部側に突出し、取付状態において前記被取付部に当接して支持する支持部材を、前記電源装置の側面に設けた照明器具。
【発明の詳細な説明】
【技術分野】
【０００１】
本発明は、被取付部に設けられた取付孔に埋め込んで取り付ける照明器具に関するものである。
【背景技術】
【０００２】
従来、被取付部である天井面に取付孔を設け、この取付孔に埋め込んで取り付ける照明器具が提案されている。
このような照明器具においては、天井面の上側（天井裏）のスペースが限られている場合や取付孔を小さくするために、天井面と平行な方向に張り出すように部品配置が考慮されている（例えば、特許文献１参照）。
【０００３】
図７に示すように、特許文献１に記載の照明器具１００では、天井１０１に設けられた取付孔１０２に取り付けられる器具本体１０３を有する。
器具本体１０３には、器具本体１０３の上面から天井１０１と平行に延出された天板１０４が取り付けられる。天板１０４の延出した先端には、連結片１０６を介して点灯装置取付板１０５が回動可能に連結される。連結片１０６は、点灯装置取付板１０５の器具本体１０３側端部を折曲げて形成されており、連結片１０６には切欠１０７が設けられている。連結片１０６は幅方向に左右一対設けられており、天板１０４の先端に設けられている突起（図示省略）を切欠１０７収容して、天板１０４を左右両外側から挟んでいる。
【０００４】
点灯装置取付板１０５の下面には、電源装置１０９が取り付けられる。
点灯装置取付板１０５の先端は、下方に折曲げられて取付板先端部１０８が設けられている。取付板先端部１０８は、電源装置１０９よりも先端側において折曲げられ、電源装置１０９よりも下方に突出している。
【０００５】
照明器具１００を天井１０１の取付孔１０２に取り付ける際には、まず、点灯装置取付板１０５を先頭にして取付孔１０２に下方から斜め上方に挿入する。
次いで、器具本体１０３を回転させながら取付孔１０２に挿嵌して固定する。
この状態では、取付板先端部１０８は、天井１０１の裏面に当接する。
【先行技術文献】
【特許文献】
【０００６】
【特許文献１】特開２０１２−１５１０７３号公報（第１図）
【発明の概要】
【発明が解決しようとする課題】
【０００７】
しかしながら、前述した照明器具１００においては、天板１０４の先端に点灯装置取付板１０５を回動可能に連結したので、電源装置１０９が取り付けられた点灯装置取付板１０５がグラグラする。また、天板１０４の先端に点灯装置取付板１０５を回動可能に連結したので、照明器具１００が点灯装置取付板１０５の方向に長くなる。
このため、照明器具１００を取付孔１０２に取り付ける際にグラグラするとともに、取付時における通過軌跡が長くなるので、施工性が悪いという問題があった。
【０００８】
本発明は、従来の問題を解決するためになされたもので、施工時に天板の通過に必要な空間を狭くすることができ容易に取り付けることができる照明器具を提供することを目的とする。
【課題を解決するための手段】
【０００９】
本発明の照明器具は、被取付部に取り付けられる枠体と、前記枠体に取り付けられ光源を有する灯具と、前記枠体に取り付けられて前記灯具を覆うとともに前記灯具から張り出す天板と、前記天板における張出部に取り付けられ前記光源に電力を供給する電源装置と、を備え、前記天板の前記電源装置と反対側端部に支持アームを設け、前記支持アームを、前記灯具の中心よりも前記電源装置と反対側において、前記枠体との間に上下移動可能な隙間を設けて前記枠体に取り付けたものである。
【００１０】
また、本発明の照明器具は、前記天板に設けられて前記電源装置よりも前記被取付部側に突出し、取付状態において前記被取付部に当接して支持する支持部材を、前記電源装置の側面に設けたものである。
【発明の効果】
【００１１】
本発明は、天板を、灯具の中心よりも電源装置と反対側において、枠体との間に隙間を設けて枠体に取り付けた。このため、天板が回動可能になるとともに天板の張出長さを短くすることができるので、施工時に天板の通過に必要な空間を狭くすることができ、容易に取り付けることができるという効果を有する照明器具を提供できる。
【図面の簡単な説明】
【００１２】
【図１】（Ａ）は本発明に係る実施形態の照明器具の正面図、（Ｂ）は（Ａ）中Ｂ方向から見た平面図、（Ｃ）は（Ａ）中Ｃ方向から見た側面図
【図２】本発明に係る実施形態の照明器具の分解斜視図
【図３】（Ａ）は天板の取付部を示す拡大斜視図、（Ｂ）は（Ａ）中Ｂ方向から見た側面図
【図４】天板の回動状態を示す正面図
【図５】（Ａ）は天板が水平なときの取付部を示す側面図、（Ｂ）は天板の電源装置側が下がったときの取付部を示す側面図、（Ｃ）は天板の電源装置側が上がったときの取付部を示す側面図
【図６】本発明に係る実施形態の照明器具を天井面の取付孔に取り付ける作業を示す正面図
【図７】従来の埋込型の照明器具の縦断面図
【発明を実施するための形態】
【００１３】
以下、本発明に係る実施形態の照明器具について、図面を用いて説明する。
図１（Ａ）ないし図１（Ｃ）に示すように、本発明に係る実施形態の照明器具１０は、被取付部である例えば天井面１１に設けられた取付孔１２に取り付けられて、主に下方を照明するのに用いることができる。
なお、以後の説明においては、天井面１１に取り付けた照明器具１０の照明方向を下（下方、下側）といい、照明方向と反対側を上（上方、上側）と云うこととする。
【００１４】
図１（Ａ）ないし図１（Ｃ）および図２に示すように、照明器具１０は、ＬＥＤユニット等の光源（図示省略）を収容する灯具２０と、灯具２０の下側に取り付けられて取付孔１２に取り付けられる枠体３０を有する。
【００１５】
灯具２０は、全体円柱形状の灯具本体２０１を有する。灯具本体２０１の上面には、複数枚の放熱フィン２１が立設されており、光源等が発した熱を放出する。
放熱フィン２１の上方は、空間Ｓを空けて天板２２で覆われている。天板２２は、全体矩形板状を呈しており、灯具２０の上方を覆う本体部２２１と、灯具２０から張り出す張出部２２２を有する。張出部２２２は、折線２２３を境界にして、先端（左端部）が下方へ下がるように傾斜して形成されている。
【００１６】
天板２２において張出部２２２と反対側の端部（図１（Ａ）において右端部）には、幅方向両端部に支持アーム２３が設けられている。支持アーム２３は、本体部２２１の幅方向端部を下方に折曲げて支持部２３１を形成し、支持部２３１の下端部を外側へ折曲げて取付部２３２が形成されている。取付部２３２には、取付用の貫通孔２３３（図２参照）が設けられている。
【００１７】
天板２２の張出部２２２の幅方向両端部には、先端部（図１（Ａ）において左端部）に支持部材２４が設けられている。支持部材２４は、例えば張出部２２２の幅方向端部を下方に折曲げて形成することができる。図１（Ａ）ないし図１（Ｃ）および図２においては、支持部材２４は矩形板状を呈しているが、棒状であってもよい。あるいは、支持部材２４として、別部材を取り付けることも可能である。
張出部２２２の下面には、光源に点灯電力を供給する電源装置６０が取り付けられる。張出部２２２の支持部材２４は、少なくとも電源装置６０よりも下方に突出しており、取付状態において天井面１１の裏面１３に当接して支持する。
【００１８】
図２に示すように、枠体３０は、取付孔１２に取り付けられる枠体本体３１と、枠体本体３１に取り付けられて灯具２０を支持する取付台４０を有する。
枠体本体３１は、円形リング状の枠３３と、枠３３の中心に対して対称位置において対向する一対の支持台３４を有する。
枠３３は、断面Ｌ字形状をしており、水平な鍔受部３３１と、垂直な立壁３３２を有する。
【００１９】
支持台３４は、矩形板状を呈しており、上下方向にＴ字形状の切欠３４１が設けられている。切欠３４１には押圧子３２が上下移動可能に設けられており、バネ部材（図示省略）によって常時下方に付勢されている。
支持台３４は、上端が内側に水平に折曲げられて受部３５が形成されている。受部３５には、ねじ孔３５１が設けられている。
【００２０】
取付台４０は、円板状の灯具受部４１と、灯具受部４１の中心に対して対称位置において対向する一対の支持壁４２を有する。
灯具受部４１の中央には、灯具本体２０１の下面に設けられている光源（図示省略）からの光を下方へ照射するための照射開口４１１が設けられている。
支持壁４２の上端は外側に水平に折曲げられて、係止部４３が形成されている。係止部４３には、取付孔４３１が設けられている。
灯具受部４１の直径および一対の支持壁４２の間隔は、灯具本体２０１の外径よりも若干大きい。
このため、灯具２０は、取付台４０の内部に収容可能となっている。
【００２１】
灯具受部４１の直径および一対の支持壁４２の間隔は、枠体本体３１における一対の支持台３４の受部３５の内側端面３５２の間隔よりも小さい。また、取付台４０における一対の係止部４３の外側端面４３２の間隔は、枠体本体３１における一対の支持台３４の外側面の間隔と略等しい。
このため、取付台４０は枠体本体３１の内部に収容され、取付台４０の係止部４３が枠体３０の受部３５の上面に載置可能となっている。
【００２２】
枠体３０の下側には、コーン部材５０が取り付けられる。コーン部材５０は、円形リング板状の鍔部５１と、鍔部５１の上に設けられた反射部５２と、反射部５２の上に設けられた上板５３を有する。
鍔部５１は、照明器具１０を天井面１１に取り付けた際に、下方に露出する。このため、鍔部５１の下面は、下方からの見栄えを考慮して形成されている。
反射部５２は、下方に向かって拡径する略円錐台形状を呈している。反射部５２の下端部は、鍔部５１の内周縁に連結されている。
上板５３は、反射部５２の上開口に設けられており、中央に照明光を照射するための開口部５３１を有する。開口部５３１は、取付台４０の灯具受部４１に設けられている照射開口４１１に対応している。
【００２３】
従って、灯具本体２０１の光源から発せられた照明光は、取付台４０の照射開口４１１を通り、コーン部材５０の開口部５３１を通って、下方に照射される。
このとき、反射部５２の内面に照射された光は下方に反射されて、所定の方向および範囲を照明する。
【００２４】
次に、照明器具１０の組立作業および取付作業について説明する。
まず、図２に示すように、灯具２０を取付台４０に取り付ける（図２中矢印Ａ参照）。このとき、灯具本体２０１を取付台４０の一対の支持壁４２の間に挿入して、灯具受部４１の上に位置決めしてねじ等により固定する。
次いで、灯具２０が取り付けられた取付台４０を枠体３０に取り付ける（図２中矢印Ｂ参照）。このとき、取付台４０の支持壁４２を、枠体３０の支持台３４の位置に合わせながら、一対の支持台３４の間に挿入する。
【００２５】
これにより、取付台４０の支持壁４２の係止部４３が、枠体３０の支持台３４の受部３５の上面に当接する。係止部４３の取付孔４３１を、受部３５のねじ孔３５１に合わせ、ねじ３６（図１（Ｂ）参照）により固定する。
そして、コーン部材５０の上板５３を、取付台４０の灯具受部４１の下面に、ねじ５４によって取り付ける（図２中矢印Ｃ参照）。
【００２６】
次いで、天板２２を灯具２０の上方に取り付ける。
図３（Ａ）および図３（Ｂ）に示すように、天板２２の一対の支持アーム２３の間に灯具２０が納まるように上から被せる。そして、支持アーム２３の取付部２３２を取付台４０の係止部４３の上に載置し、取付部２３２の貫通孔２３３（図２参照）からねじ２５を取り付ける。
【００２７】
この際、図１（Ｂ）に示すように、ねじ２５の取付位置Ｌ１は、灯具２０の中心位置ＣＬに対して、電源装置６０と反対側に設定する。あるいは、灯具２０の中心位置ＣＬに設定する。
また、図３（Ｂ）に示すように、ねじ２５は、一定距離の隙間Ｄを有するように取り付ける。すなわち、支持アーム２３の取付部２３２を取付台４０に密着させた状態（図５（Ａ）参照）で固定するのではなく、取付部２３２が取付台４０から一定距離（隙間Ｄ）だけ上昇可能な状態に取り付ける。
これにより、天板２２は、電源装置６０の重みによって、取付部２３２の中心側端部２３４を支点として、灯具２０等に対して下方へ回動する（図４中位置ＬＡ線参照、図５（Ｂ）参照）。
また、天板２２の電源装置６０側を持ち上げると、取付部２３２の中心と反対側端部２３５を支点として、灯具２０等に対して上方へ回動する（図４中位置ＬＢ線参照、図５（Ｃ）参照）。
【００２８】
次に、照明器具１０を天井面１１の取付孔１２に取り付ける作業について説明する。
まず、図４に示すように、天板２２を下方へ回動させる（図４において位置ＬＡ参照）。この状態で、図６に示すように、天板２２の張出部２２２側から取付孔１２に挿入し、天井面１１の裏面１３に沿って奥に挿入する（図６中矢印Ａ参照）。
【００２９】
その後、灯具２０および枠体３０を矢印Ｂ方向に回転させながら、取付孔１２に挿入する。このとき、天板２２の先端に設けられている支持部材２４が天井面１１の裏面１３に当接するが、天板２２は回動可能なので、灯具２０および枠体３０は容易に回転する。
次いで、枠体３０の枠３３の鍔受部３３１を天井面１１に当接させ、枠体３０の押圧子３２をバネ部材（図示省略）の付勢力により、天井の裏面１３を押し付ける。
これにより、天井を挟んで枠体３０を固定する。
【００３０】
本発明の照明器具１０の作用効果について説明する。
図１（Ａ）ないし図１（Ｃ）に示すように、照明器具１０は、光源（図示省略）を有する灯具２０が取り付けられた枠体３０を天井面１１の取付孔１２に取り付けることにより、取付孔１２に取り付けられる。照明器具１０は、灯具２０を覆うとともに、灯具２０から張り出す天板２２を有しており、天板２２における張出部２２２には、光源に電力を供給する電源装置６０が取り付けられる。
そして、天板２２の支持アーム２３を、灯具２０の中心位置ＣＬよりも電源装置６０と反対側（取付位置Ｌ１）において枠体３０に取り付けた。このとき、支持アーム２３を上下移動可能とする隙間Ｄを設けて取り付けた。
これにより、天板２２の長さを短くすることができるとともに、天板２２が回動可能となるので、施工時に天板２２の通過に必要な空間を狭くすることができ、容易に取り付けることができる。
【００３１】
また、天板２２に設けられて電源装置６０よりも下方に突出し、取付状態において天井の裏面１３に当接して支持する支持部材２４を、電源装置６０の側面に配置した。
このため、天板２２の長手方向において電源装置６０よりも先端に支持部材２４を設ける場合に比して、天板２２の長手方向長さを短くすることができ、施工時に天板の通過に必要な空間を狭くすることができ、容易に取り付けることができる。
【００３２】
本発明の照明器具は、前述した実施形態に限定されるものでなく、適宜な変形，改良等が可能である。
【符号の説明】
【００３３】
１０  照明器具
１１  天井面（被取付部）
２０  灯具
２２  天板
２２２  張出部
２３  支持アーム
２４  支持部材
３０  枠体
Ｄ  隙間
【図１】
2014135138.tif 000003
【図２】
2014135138.tif 000004
【図３】
2014135138.tif 000005
【図４】
2014135138.tif 000006
【図５】
2014135138.tif 000007
【図６】
2014135138.tif 000008
【図７】
2014135138.tif 000009